(57)【要約】  本発明の実施形態は、一般にバーコードリーダの分野に関し、より具体的には複数の線形イメージセンサを有するバーコードリーダに関する。実施形態において、バーコードリーダは、第１の線形イメージングセンサを含む第１の光学組立体と、第２の線形イメージングセンサを含む第２の光学組立体と、第１の線形イメージングセンサ及び第２の線形イメージングセンサの両方に、同時に、それぞれ第１のＦＯＶ及び第２のＦＯＶからの光を所定の時間にわたって捕捉させ、第１の線形イメージングセンサからの第１の出力信号及び第２の線形イメージングセンサからの第２の出力信号を同時に捕捉するように構成された、接続されたコントローラとを含む。【選択図】図１
2021500666.tif 000002
【特許請求の範囲】
【請求項１】
少なくとも１つの窓を有するハウジングと、
第１の線形イメージングセンサを含み、前記少なくとも１つの窓を通って延びる第１の視野（ＦＯＶ）を有し、第１の最大作動距離を有する、第１の光学組立体と、
第２の線形イメージングセンサを含み、前記少なくとも１つの窓を通って延びる第２のＦＯＶを有し、前記第１の最大作動距離より長い第２の最大作動距離を有する、第２の光学組立体と、
前記第１の線形イメージングセンサに接続されるとともに前記第２の線形イメージングセンサにさらに接続されたコントローラと、
を備え、前記コントローラは、
前記第１の線形イメージングセンサ及び前記第２の線形イメージングセンサの両方に、同時に、それぞれ前記第１のＦＯＶ及び前記第２のＦＯＶからの光を所定の時間にわたって捕捉させ、
前記第１の線形イメージングセンサからの第１の出力信号及び前記第２の線形イメージングセンサからの第２の出力信号を同時に捕捉する
ように構成される、
ことを特徴とするバーコードリーダ。
【請求項２】
前記第１の線形イメージングセンサ及び前記第２の線形イメージングセンサが、前記コントローラに並列に接続されることを特徴とする、請求項１に記載のバーコードリーダ。
【請求項３】
前記第１の線形イメージングセンサ及び前記第２の線形イメージングセンサの両方が、前記コントローラの第１の出力チャネルに接続されることを特徴とする、請求項１に記載のバーコードリーダ。
【請求項４】
前記コントローラが、前記第１の線形イメージングセンサからの前記第１の出力信号及び前記第２の線形イメージングセンサからの前記第２の出力信号を同時に解析するようにさらに構成されることを特徴とする、請求項１に記載のバーコードリーダ。
【請求項５】
前記第１の出力信号及び前記第２の出力信号の各々がアナログ信号であることを特徴とする、請求項１に記載のバーコードリーダ。
【請求項６】
前記コントローラは、少なくとも１つのアナログ−デジタル変換器を含み、前記コントローラが、前記少なくとも１つのアナログ−デジタル変換器を用いて、前記第１の出力信号及び前記第２の出力信号の各々を前記アナログ信号からデジタル信号に変換するようにさらに構成されることを特徴とする、請求項５に記載のバーコードリーダ。
【請求項７】
前記第１の光学組立体は、所与の光源から前記第１の線形イメージングセンサに第１の放射照度量を提供するように構成され、前記第２の光学組立体は、前記所与の光源から前記第２のイメージングセンサに第２の放射照度量を提供するように構成され、前記第２の放射照度量は、前記第１の放射照度量の２０％以内であることを特徴とする、請求項１に記載のバーコードリーダ。
【請求項８】
前記第２の放射照度量は、前記第１の放射照度量より大きいことを特徴とする、請求項７に記載のバーコードリーダ。
【請求項９】
前記第１の光学組立体及び前記第２の光学組立体は、それぞれ固定焦点レンズを含むことを特徴とする、請求項１に記載のバーコードリーダ。
【請求項１０】
前記第１の最大作動距離は、およそ２８インチと３２インチとの間であり、前記第２の最大作動距離は、およそ６００インチと６８０インチとの間であることを特徴とする、請求項１に記載のバーコードリーダ。
【請求項１１】
前記第１の線形イメージングセンサ及び前記第２の線形イメージングセンサが同一であることを特徴とする、請求項１に記載のバーコードリーダ。
【請求項１２】
第１の線形イメージングセンサを含み、第１の視野（ＦＯＶ）を有し、第１の最大作動距離を有する、第１の光学組立体を準備するステップと、
第２の線形イメージングセンサを含み、少なくとも１つの窓を通って延びる第２のＦＯＶを有し、第１の最大作動距離より長い第２の最大作動距離を有する、第２の光学組立体を準備するステップと、
コントローラを前記第１の線形イメージングセンサ及び前記第２の線形イメージングセンサに接続するステップであって、前記コントローラは、
前記第１の線形イメージングセンサ及び前記第２の線形イメージングセンサの両方に、同時に、それぞれ第１のＦＯＶ及び第２のＦＯＶからの光を所定の時間にわたって捕捉させ、
前記第１の線形イメージングセンサからの第１の出力信号及び前記第２の線形イメージングセンサからの第２の出力信号を同時に捕捉する
ように動作可能である、ステップと、
前記第１の光学組立体、前記第２の光学組立体、及び前記コントローラを、少なくとも１つの窓を有するハウジングの内部に、前記第１のＦＯＶ及び前記第２のＦＯＶが前記少なくとも１つの窓を通って延びるように設置するステップと、
を含むことを特徴とする、バーコードスキャナを製造する方法。
【請求項１３】
前記コントローラを前記第１の線形イメージングセンサ及び前記第２の線形イメージングセンサに接続する動作は、前記第１及び前記第２の線形イメージングセンサを前記コントローラに並列に接続することを含むことを特徴とする、請求項１２に記載の方法。
【請求項１４】
前記コントローラを前記第１の線形イメージングセンサ及び前記第２の線形イメージングセンサに接続する動作は、前記第１の線形イメージングセンサ及び前記第２の線形イメージングセンサを前記コントローラの第１の出力チャネルに接続することを含むことを特徴とする、請求項１２に記載の方法。
【請求項１５】
前記第１の光学組立体は、所与の光源から前記第１の線形イメージングセンサに第１の放射照度量を提供するように構成され、前記第２の光学組立体は、前記所与の光源から前記第２のイメージングセンサに第２の放射照度量を提供するように構成され、前記第２の放射照度量は、前記第１の放射照度量の２０％以内であることを特徴とする、請求項１２に記載の方法。
【請求項１６】
前記第２の放射照度量は、前記第１の放射照度量より大きいことを特徴とする、請求項１５に記載の方法。
【請求項１７】
第１の線形イメージセンサ、第２の線形イメージセンサ、及びコントローラを有するバーコードリーダでバーコードを読み取る方法であって、
前記コントローラ上の第１の出力チャネルを介して、前記第１の線形イメージセンサに、第１の光データを所定の時間にわたって捕捉するよう命令するステップと、
前記コントローラ上の前記第１の出力チャネルを介して、前記第２の線形イメージセンサに、前記所定の時間にわたって第２の光データを捕捉するよう命令するステップであって、前記第１の線形イメージセンサに命令する動作と前記第２の線形イメージセンサに命令する動作とが同時に起こるステップと、
前記コントローラを介して、前記第１の線形イメージセンサから第１の出力信号を捕捉するステップと、
前記コントローラを介して、前記第２の線形イメージセンサから第２の出力信号を捕捉するステップと、
前記第１の出力信号及び前記第２の出力信号のうち少なくとも１つをデコードするステップと、
を含むことを特徴とする、方法。
【請求項１８】
前記第１の線形イメージングセンサに命令する動作及び前記第２の線形イメージングセンサに命令する動作は、前記コントローラから並列路を介して前記第１の線形イメージングセンサ及び前記第２の線形イメージングセンサにそれぞれ送られることを特徴とする、請求項１７に記載の方法。
【請求項１９】
前記第１の出力信号を捕捉する動作及び前記第２の出力信号を捕捉する動作が同時に起こることを特徴とする、請求項１７に記載の方法。
【請求項２０】
前記第１の線形イメージセンサは、第１の視野（ＦＯＶ）を有する第１の光学組立体の一部であり、前記第１の光学組立体は、第１の最大作動距離を有し、
前記第２の線形イメージセンサは、第２のＦＯＶを有する第２の光学組立体の一部であり、前記第２の光学組立体は、前記第１の最大作動距離より長い第２の最大作動距離を有し、
前記第１のＦＯＶは、前記第２のＦＯＶより広い
ことを特徴とする、請求項１７に記載の方法。
【発明の詳細な説明】
【技術分野】
【０００１】
本発明は、バーコードリーダに関する。特に本発明は、複数のイメージセンサを有するバーコードリーダに関する。本発明はまた、複数のイメージセンサを有するバーコードリーダに関連する方法に関する。
【背景技術】
【０００２】
バーコードは多様な状況においてありふれたものになってきている。データを伝達し、比較的簡単に読み取られるというバーコードの能力は、小売り、ヘルスケア、企業、輸送及び物流、並びに他の多くの環境において、その使用の基盤を提供している。特に普及しているのは、様々な幅と間隔とを有する一連の平行な線で定められる一次元（１Ｄ）すなわち線形バーコードである。
【０００３】
異なる部門にわたるバーコードの広範な普及により、堅牢さ、複雑さ、費用、特徴などが様々に異なる広範囲のバーコードリーダが必要になる。しばしば所望される１つの具体的な特徴は、リーダが、デコード可能データを様々な作動距離で捕捉する能力である。いくつかの事例において、この特徴は、測定された距離又は画像分析のような多数のパラメータに基づいて作動距離を変更する、複雑な、調節可能な光学系によって可能になる。しかしながら、これは、コンピューティング／画像処理力の増大と共に、比較的高レベルの複雑さを必要とする。他の事例において、この特徴は、各々が種々のパラメータに従って画像データを捕捉するように個別に制御される、複数のイメージセンサによって可能になる。これらのシステムは、所望の設定に従って複数のイメージセンサを駆動するために個別ドライバを必要とするという点で、複雑さのレベルが高まる。
【発明の概要】
【０００４】
したがって、ある程度の基本的な必須の特徴を提供する一方で、費用及び複雑さのレベルを低減する、改善されたバーコード読み取り装置及びそれに関連付けられた方法が依然として必要とされている。
【０００５】
添付の図面は、同様の符号が個別の図を通じて同一又は機能的に類似の要素を示し、以下の詳細な説明と共に明細書に組み入れられてその一部を形成し、特許請求の範囲の説明を含む概念の実施形態をさらに例証する役割を果たし、これらの実施形態の種々の原理及び利点を説明する。
【図面の簡単な説明】
【０００６】
【図１】本発明の実施形態によるバーコードリーダの斜視図を示す。
【図２】図１のバーコードリーダの構成要素の一部の略ブロック図を示す。
【図３】本発明の実施形態による、バーコードスキャナを製造する方法を表すフローチャートを示す。
【図４】本発明の実施形態による、バーコードを読み取る方法を表すフローチャートを示す。
【発明を実施するための形態】
【０００７】
図中の要素は簡素かつ明瞭に描かれており、必ずしも縮尺通りに描かれているわけではないことを当業者は理解するであろう。例えば、図中の要素のうちの幾つかの寸法は、本発明の実施形態の理解を改善するために、他の要素の寸法に対して誇張して描かれている場合がある。
【０００８】
装置及び方法の構成要素は、図中、適切な場合には慣例的な記号で表されており、本明細書における説明の利益を享受する当業者には容易に明らかになる細部で開示を不明瞭にすることがないように、本発明の実施形態の理解に関連した特定の詳細のみを図示する。
【０００９】
実施形態において、本発明は、バーコードリーダである。バーコードリーダは、少なくとも１つの窓を有するハウジングと、第１の線形イメージングセンサを含み、少なくとも１つの窓を通って延びる第１の視野（ＦＯＶ）を有し、第１の最大作動距離を有する第１の光学組立体と、第２の線形イメージングセンサを含み、少なくとも１つの窓を通って延びる第２のＦＯＶを有し、第１の最大作動距離より長い第２の最大作動距離を有する第２の光学組立体と、第１の線形イメージングセンサに接続されるとともに第２の線形イメージングセンサにさらに接続されたコントローラと、を含み、コントローラは、第１の線形イメージングセンサ及び第２の線形イメージングセンサの両方に、同時に、それぞれ第１のＦＯＶ及び第２のＦＯＶからの光を所定の時間にわたって捕捉させ、第１の線形イメージングセンサからの第１の出力信号及び第２の線形イメージングセンサからの第２の出力信号を同時に捕捉するように構成される。
【００１０】
ここで図面を参照すると、図１は、トリガ１０４と窓１０６とを備えたハウジング１０２を有する、例示的なバーコードリーダを示す。この実施形態には、表面上に立つように構成されるとともにハウジング１０２を略直立位置で支持するように構成された基部１０８も含まれる。バーコードリーダ１００は、カウンタートップ上に置かれた場合、静止ワークステーションとしてハンズフリーモードで使用することができる。バーコードリーダ１００は、カウンタートップから持ち上げてオペレータの手で保持された場合、手持ちモードで使用することもできる。ハンズフリーモードでは、製品を窓１０６に対して、摺動させ、スワイプし、又は提示することができる。手持ちモードでは、バーコードリーダ１００を製品上のバーコードに向かって動かすことができ、トリガ１０４を手動で押下してバーコードのイメージングを開始することができる。いくつかの実施形態において、基部１０８を省くことができ、ハウジング１０２を他の手持ち形又は非手持ち形にすることができる。
【００１１】
図２は、いくつかの実施形態によるバーコードリーダ１００の一部の略ブロック図を示す。図２は縮尺通りに描かれていないことに留意されたい。図２のバーコードリーダ１００は、以下の構成要素を含む：（１）第１の線形イメージングセンサ１１２と第１のイメージングレンズ組立体１１４とを含む第１の光学組立体１１０、（２）第２の線形イメージングセンサ１１８と第２のイメージングレンズ組立体１２０とを含む第２の光学組立体１１６、（３）照射源１２２、（４）第１及び第２の線形イメージングセンサ１１２、１１８と照射源１２２とを支持するプリント回路基板（ＰＣＢ）１２４、（５）ＰＣＢ１２４上に配置され、第１及び第２の線形イメージングセンサ１１２、１１８と照射源１２２とに通信可能に結合されたコントローラ１２６、（６）コントローラ１２６に接続されたメモリ１２８、（７）照射源１２２の前方に配置された照射レンズ組立体１３０、（８）照準光源１２５と照準レンズ組立体１２７とを有する照準光組立体１２３。
【００１２】
第１及び第２の線形イメージャ１１２、１１８は、一般に一次元アレイとして整列した複数の感光性ピクセル要素を含む、ＣＣＤ又はＣＭＯＳ線形イメージングセンサのいずれかとすることができる。第１及び第２の線形イメージャ１１２、１１８は、窓１０６を通るそれぞれの光路又は光軸１３２、１３４に沿って第１及び第２のイメージングレンズ組立体１１４、１２０によって捕捉された光をそれぞれ検出するように動作する。一般に、それぞれの線形イメージャとイメージングレンズ組立体との各対は、一次元の視野（ＦＯＶ）上のピクセルデータとしてのバーコードから散乱され、反射され、又は放出される光を捕捉するために一緒に動作するように設計される。しかしながら、各レンズ／イメージャ対（光学組立体とも称される）は、異なるパラメータで構成される。
【００１３】
現在説明している実施形態において、第１の光学組立体１１０は、ＮＷＤ１とＮＷＤ２との間に延びる比較的近い作動距離上でバーコードを読み取るように設計されている。いくつかの実施形態において、ＮＷＤ１は、窓１０６からおよそ０インチであり、ＮＷＤ２は、窓１０６からおよそ２８乃至３２インチである。さらに、光学組立体１１０は、比較的広いＦＯＶ１３６からの光を捕捉する。他方、第２の光学組立体１１６は、ＦＷＤ１とＦＷＤ２との間に延びる比較的遠い作動距離上でバーコードを読み取るように設計されている。いくつかの実施形態において、ＦＷＤ１は、窓１０６からおよそ２４インチであり、ＦＷＤ２は、窓１０６からおよそ６００乃至６８０インチである。さらに、光学組立体１１６は、比較的狭いＦＯＶ１３８からの光を捕捉する。
【００１４】
当業者であれば、所望のＦＯＶ及び作動距離と、光学組立体の焦点距離、レンズ構成、及び開口との間の関係を認識するであろう。それゆえ、各イメージングレンズ組立体を必要に応じて構成して（適切な焦点距離、レンズ構成、及び／又は開口を選択することができる）、所望のパラメータの組を得ることができる。好ましい実施形態において、各イメージングレンズ組立体は、固定焦点組立体である。さらに、好ましい実施形態において、各イメージングレンズ組立体は、第１及び第２の線形イメージングセンサ１１２、１１８の各々によって捕捉される光量が互いの２０％以内となるように構成される（これは、両方のセンサが同じ露出時間にわたって有効化されることを想定する）。一例として、光学組立体のＦＯＶの各々の内部に配置された所与の光源からの線形イメージングセンサの各々の放射照度量（ａｍｏｕｎｔ  ｏｆ  ｉｒｒａｄｉａｎｃｅ）を考えると、２つの光学組立体の各々は、線形イメージングセンサの各々の放射照度量が互いの２０％以内であるように構成される。実施形態において、この機能は、焦点距離が１６ｍｍであり、２ｍｍ×０．９ｍｍの矩形開口を有する固定焦点レンズ組立体を含む第１の光学組立体１１０を有することによって、さらに、焦点距離３０ｍｍ及び４ｍｍ×１．８ｍｍの矩形開口の固定焦点レンズ組立体を含む第２の光学組立体１１６を有することによって達成される。いくつかの実施形態において、この機能は、各光学組立体のｆ値が互いの１０％以内になるように構成することによって達成することもできる。例えば、第１の光学組立体１１０は、ｆ値１０．９を有することができ、第２の光学組立体１１６は、ｆ値９．９を有することができる。いくつかの実施形態において、第１の光学組立体１１０は、第２の光学組立体１１６を介して第２のイメージングセンサ１１８に提供される光量と比べて、より多くの光をイメージングセンサ１１２に提供することが好ましい。
【００１５】
図２において、マイクロプロセッサのようなコントローラ１２６が線形イメージャ１１２、１１８に動作可能に接続される。好ましくは、線形イメージャ１１２、１１８の各々の入力は、並列接続１４０を介してコントローラに接続される。このことは、イメージャを単一のコントローラ出力チャネルによって（例えば、両方の線形イメージャ１１２、１１８を接続するためにコントローラ１２６上の同じピンを用いて）コントローラに接続することによって行うことができる。他の例において、このことは、イメージャを、並列に動作するように構成された２つの別々のコントローラ出力に接続することによって達成することができる。さらに、各センサ１１２、１１８の出力もまた、コントローラ１２６に接続される。好ましい構成において、このことは、各イメージャをそれぞれ独自の通信リンク１４２を介してコントローラに接続することを含む。
【００１６】
コントローラに対するイメージャの並列接続を有利に用いて、両方のイメージセンサ１１２、１１８を同時に有効化及び無効化することにより、各センサが同じ露光時間にわたってデータを捕捉するようにさせることができる。線形イメージセンサは、センサそれ自体に内在するイメージ捕捉パラメータを調節する付加的な電子的手段を欠いている場合があるので、この構成は、線形イメージセンサを有する実装に特に適している。本質的に、両方のイメージャを単一の出力チャネルによって駆動することができるので、電力及びコンピューティングの消費と、複数の出力チャネルを有する、より複雑なプロセッサの必要性とが低減される。これは、第１及び第２のイメージャ１１２、１１８用に同一のセンサを使用して、同じドライバ信号を両センサに等しく適用することができるようにすることによって、さらに簡素化することができる。
【００１７】
同時有効化及び無効化をさらに活用して、センサデータを、同時に捕捉し、潜在的に解析することができる。いくつかの場合において、解析は、イメージセンサのうちの１つからのイメージデータを解析して、デコード可能バーコードがそこで捕捉されたかどうか判定することと、第１のイメージから得ることができないデコードである、他のイメージャセンサからのイメージデータの解析に進むこととを含む。他の場合において、両方のイメージセンサからのイメージデータを同時に解析して、その中のデコード可能バーコードの存在を判定する。イメージャがアナログ信号を出力する実施形態において、アナログ−デジタル変換器を（コントローラ１２６の前又は内部のいずれかに）設けて、アナログ信号を処理用のデジタル信号に変換する。
【００１８】
両方の光学組立体１１０、１１６が固定焦点であり、線形イメージセンサ１１２、１１８が同時に有効化及び無効化され、両イメージャからのイメージデータが同時に捕捉され潜在的に処理されることで、最初のトリガの有効化からバーコードのデコードまでの期間を著しく改善することができる。
【００１９】
イメージセンサに接続されることに加えて、コントローラ１２６はさらに照射源１２２及び照準光源１２５にも、これらの構成要素の動作を制御するために接続される。コントローラ１２６は、イメージングスキャナ内の他のデバイスを制御するために用いることもできる。リーダ１００は、データの格納及び取り出しのために、コントローラ１２６によってアクセス可能なメモリ１２８も含む。いくつかの実施形態において、コントローラ１２６は、線形イメージャ１１２、１１８によって捕捉された１つ又はそれより多くのバーコードをデコードするためのデコーダも含む。いくつかの実装において、バーコードは、捕捉されたバーコードのイメージをマイクロプロセッサでデジタル処理することによってデコードすることができる。
【００２０】
いくつかの実施形態による動作において、コントローラ１２６は、コマンド信号を送って、所定の照射時間にわたって照射源１２２に通電する。コントローラ１２６は、次いで、バーコードのイメージを捕捉するために線形イメージングセンサを有効化させる。捕捉されたイメージは、ピクセルデータとしてコントローラ１２６に転送される。このようなピクセルデータをコントローラ１２６内のデコーダによってデジタル処理して、バーコードがＦＯＶ１３６又はＦＯＶ１３８のいずれかの内部に存在している場合にこれをデコードする。バーコードのデコードから得られた情報は、次いでメモリ１２８内に格納されるか、又はさらなる処理のために他のデバイスに送られる。
【００２１】
ここで図３を参照すると、本開示による、バーコードスキャナを製造する方法を表すフローチャートが示されている。ステップ２００において、この方法は、第１の線形イメージングセンサを含み、ＦＯＶを有し、第１の最大作動距離を有する、第１の光学組立体を準備することを含む。ステップ２０２において、この方法は、第２の線形イメージングセンサを含み、少なくとも１つの窓を通って延びる第２のＦＯＶを有し、第１の最大作動距離より長い第２の最大作動距離を有する、第２の光学組立体を準備することを含む。ステップ２０４において、この方法は、コントローラを第１の線形イメージングセンサ及び第２の線形イメージングセンサに接続することを含み、該コントローラは、第１の線形イメージングセンサ及び第２の線形イメージングセンサの両方に、同時に、それぞれ第１のＦＯＶ及び第２のＦＯＶからの光を所定の時間にわたって捕捉させ、第１の線形イメージングセンサからの第１の出力信号及び第２の線形イメージングセンサからの第２の出力信号を同時に捕捉するように動作可能である。最後に、ステップ２０６において、この方法は、第１の光学組立体、第２の光学組立体、及びコントローラを、少なくとも１つの窓を有するハウジングの内部に、第１のＦＯＶ及び第２のＦＯＶが少なくとも１つの窓を通って延びるように設置することを含む。
【００２２】
図４は、第１の線形イメージセンサ、第２の線形イメージセンサ、及びコントローラを有するバーコードリーダでバーコードを読み取る方法を表す別のフローチャートを示す。ステップ３００において、この方法は、コントローラ上の第１の出力チャネルを介して、第１の線形イメージセンサに、第１の光データを所定の時間にわたって捕捉するよう命令することを含む。ステップ３０２において、この方法は、コントローラ上の第１の出力チャネルを介して、第２の線形イメージセンサに、所定の時間にわたって第２の光データを捕捉するよう命令することを含み、第１の線形イメージセンサに命令する動作と第２の線形イメージセンサに命令する動作とが同時に起こる。ステップ３０４において、この方法は、コントローラを介して、第１の線形イメージセンサから第１の出力信号を捕捉することを含む。ステップ３０６において、この方法は、コントローラを介して、第２の線形イメージセンサから第２の出力信号を捕捉することを含む。好ましくは、ステップ３０４及び３０６は、同時に行われる。最後に、ステップ３０８において、第１の出力信号及び第２の出力信号のうち少なくとも１つをデコードすることを含む。
【００２３】
上記の実施形態は、２つのイメージセンサに関して説明してきたが、これは単なる例示であり、本明細書で説明したのと同じ方式で付加的なセンサをシステム内に実装することができる。
【００２４】
上述の明細書において、特定の実施形態を説明してきた。しかしながら、当業者は、以下の特許請求の範囲で示す本発明の範囲から逸脱することなく種々の改変及び変更を行うことができることを認識する。したがって、明細書及び図面は、限定的な意味ではなく例示的なものとみなすべきであり、このような改変のすべては、本教示の範囲内に含まれることが意図される。さらに、記載した実施形態／例／実装は、相互に排他的であると解釈すべきではなく、何らかの組合せが許容できるのであれば潜在的に組合せ可能であると解釈すべきである。換言すれば、上記の実施形態／例／実装のいずれかにおいて開示されたいずれの特徴も、他の上記の実施形態／例／実装のいずれかに含まれることができる。
【００２５】
利益、利点、課題の解決、及び、なんらかの利益、利点、又は解決を生じさせる又はより顕著にすることができるあらゆる要素は、いずれか又はすべての請求項の、決定的な、要求される、又は必須の特徴又は要素として解釈されるべきではない。本発明は、添付の特許請求の範囲に、本出願の係属中に行われたあらゆる補正と、発行された特許請求の範囲のすべての均等物とを含めたものによってのみ定義される。
【００２６】
より詳細には、この文書において、第１及び第２、上及び下などのような関連語は、１つの実体又は動作を他の実体又は動作と区別するためにのみ用いることができ、必ずしもそのような実体又は動作間の実際のそのような関係又は順序を要求する又は含意するものではない。用語「備える」、「備える」、「有する」、「有している」、「含む」、「含んでいる」、「含有する」、「含有している」又はそれらの他のあらゆる変形は、非排他的な包含をカバーすることが意図されており、要素の列挙を、備える、有する、含む、含有する、プロセス、方法、物品、又は装置は、それらの要素のみを含むのではなく、明示的に列挙されていない他の要素、又はそのようなプロセス、方法、物品、若しくは装置に固有の他の要素を含むことができる。「を備える（comprises …a）」、「を有する（has …a）」、「を含む（includes …a）」、「を含有する（contains …a）」の後に続く要素は、さらなる制約条件がなければ、その要素を備える、有する、含む、含有するプロセス、方法、物品、又は装置における付加的な同一要素の存在を排除するものではない。「ａ」及び「ａｎ」という用語は、明示的に特段の断りのない限り、１つ又はそれより多くとして定義される。用語「実質的に」、「本質的に」、「およそ」、「約」又は他のいずれかのそれらの変形は、当業者に理解されるように、近いものとして定義され、１つの非限定的な実施形態において、この用語は、１０％以内、別の実施形態において５％以内、別の実施形態において１％以内、及び別の実施形態において０．５％以内として定義される。本明細書で用いられる「結合された」という用語は、接続されたものとして定義されるが、必ずしも直接的でなくてもよく、また、必ずしも機械的でなくてもよい。ある方式で「構成された」デバイス又は構造は、少なくともその方式で構成されるが、挙げられていない方式で構成されてもよい。
【００２７】
いくつかの実施形態は、１つ又はそれより多くの、マイクロプロセッサ、デジタル信号プロセッサ、カスタマイズドプロセッサ及びフィールドプログラム可能ゲートアレイ（ＦＰＧＡ）のような汎用又は専用プロセッサ（又は「処理デバイス」）と、１つ又はそれより多くのプロセッサを制御して、特定の非プロセッサ回路と共に、本明細書で説明される方法及び／又は装置の機能の一部、大部分、又はすべてを実装する、一意の格納されたプログラム命令（ソフトウェア及びファームウェアの両方を含む）とで構成することができることが認識されるであろう。あるいは、一部又はすべての機能は、格納されたプログラム命令を有さない状態機械によって、又は、各機能若しくは特定の機能の幾つかの組合せがカスタム論理として実装された１つ若しくはそれより多くの特定用途向け集積回路（ＡＳＩＣ）において、実装することができる。もちろん、２つの手法の組合せを用いることもできる。
【００２８】
さらに、実施形態は、本明細書で説明され、特許請求される方法を実行するようにコンピュータ（例えばプロセッサを含む）をプログラミングするための、格納されたコンピュータ可読コードを有する、コンピュータ可読ストレージ媒体として実装することができる。このようなコンピュータ可読ストレージ媒体の例は、ハードディスク、ＣＤ−ＲＯＭ、光学ストレージデバイス、磁気ストレージデバイス、ＲＯＭ（読出し専用メモリ）、ＰＲＯＭ（プログラム可能読出し専用メモリ）、ＥＰＲＯＭ（消去可能プログラム可能読出し専用メモリ）、ＥＥＰＲＯＭ（電気的消去可能プログラム可能読出し専用メモリ）及びフラッシュメモリを含むがこれらに限定されない。さらに、当業者は、例えば、使用可能時間、現在の技術、及び経済的考慮事項によって動機づけられる、場合によっては著しい努力及び多くの設計選択肢にもかかわらず、本明細書で開示される概念及び原理によって導かれた場合、このようなソフトウェア命令及びプログラム並びにＩＣを最小限の実験で容易に生成することが可能になることが期待される。
【００２９】
開示の要約は、読者が技術的開示の性質を素早く確認することを可能にするために提供される。これは、請求項の範囲又は意味を解釈する又は限定するために用いられるものではないことを理解したうえで提示される。さらに、上記の詳細な説明において、開示を円滑にする目的で、種々の実施形態において種々の特徴がまとめてグループ化されていることがわかる。この開示方法は、特許請求される実施形態が、各請求項で明示的に記載されている特徴よりも多くの特徴を必要とするという意図を反映するものとして解釈すべきではない。むしろ、以下の特許請求の範囲は、単一の開示された実施形態のすべての特徴よりも少ない発明の主題を反映する。それゆえ、以下の特許請求の範囲は、ここで詳細な説明に組み入れられ、各請求項は、別個に特許請求される主題として独立している。
【符号の説明】
【００３０】
１００：バーコードリーダ
１０２：ハウジング
１０４：トリガ
１０６：窓
１０８：基部
１１０：第１の光学組立体
１１２：第１の線形イメージングセンサ
１１４：第１のイメージングレンズ組立体
１１６：第２の光学組立体
１１８：第２の線形イメージングセンサ
１２０：第２のイメージングレンズ組立体
１２２：照射源
１２３：照準光組立体
１２４：プリント回路基板（ＰＣＢ）
１２５：照準光源
１２６：コントローラ
１２７：照準レンズ組立体
１２８：メモリ
１３０：照射レンズ組立体
１３２、１３４：光路又は光軸
１３６、１３８：ＦＯＶ
１４２：通信リンク
【図１】
2021500666.tif 000003
【図２】
2021500666.tif 000004
【図３】
2021500666.tif 000005
【図４】
2021500666.tif 000006
【国際調査報告】
2021500666.tif 000007
2021500666.tif 000008